(57)【要約】      （修正有）【課題】より小さく折り畳むことができ、容易に持ち運びすることができる折り畳み式キャリアカートを提供する。【解決手段】折り畳み式キャリアカートは、本体部２００と、伸縮可能な支柱１００と、支柱の長手方向に対して略平行となる位置から略垂直となる位置まで、一端を中心点として回転動作する第１，第２の支持棒３０１、４０１と、先端部に車輪を有し、支柱を中心として本体部の下端部の両側に連結され、支柱の長手方向に対して略平行となる位置から略垂直となる位置まで、一端を中心点として回転動作する第３，第４の支持棒５０１、６０１と、本体部の下端部に連結され、支柱の長手方向に対して略平行となる位置から略垂直となる位置まで、一端を中心点として第１，第２の支持棒の回転に対して垂直の方向に回転動作する第５の支持棒７０１Ａとを備える。【選択図】図１
0003196545.tif 000002
【実用新案登録請求の範囲】
【請求項１】
本体部と、
前記本体部に固定された固定筒と、前記固定筒に対して相対的に上下動する稼働筒とを有する伸縮可能な支柱と、
前記支柱を中心として前記本体部の上端部の両側に一端が夫々回転可能に連結され、前記支柱の長手方向に対して略平行となる第１の位置から略垂直となる第２の位置まで、前記一端を中心点として夫々回転動作する第１，第２の支持棒と、
前記支柱を中心として前記本体部の下端部の両側に一端が夫々回転可能に連結され、前記支柱の長手方向に対して略平行となる第３の位置から略垂直となる第４の位置まで、前記一端を中心点として夫々回転動作する第３，第４の支持棒と、
前記本体部の下端部に一端が回転可能に連結され、前記支柱の長手方向に対して略平行となる第５の位置から略垂直となる第６の位置まで、前記一端を中心点として前記第１，第２の支持棒の回転動作に対して垂直方向に回転動作する第５の支持棒と、
を備えることを特徴とする折り畳み式キャリアカート。
【請求項２】
一端が前記第１，第２の支持棒に、他端が前記稼働筒に夫々回転可能に連結され、前記支柱が伸長する際に、前記第１，第２の支持棒を前記第１の位置まで移動させ、前記支柱が縮む際に、前記第１，第２の支持棒を前記第２の位置まで移動させる第１，第２の連結機構と、
一端が前記第３，第４の支持棒に、他端が前記稼働筒に夫々回転可能に連結され、前記支柱が伸長する際に、前記第３，第４の支持棒を前記第３の位置まで移動させ、前記支柱が縮む際に、前記第３，第４の支持棒を前記第４の位置まで移動させる第３，第４の連結機構と、
一端が前記第５の支持棒に、他端が前記稼働筒に夫々回転可能に連結され、前記支柱が伸長する際に、前記第５の支持棒を前記第５の位置まで移動させ、前記支柱が縮む際に、前記第５の支持棒を前記第６の位置まで移動させる第５の連結機構と
を備えることを特徴とする請求項１に記載の折り畳み式キャリアカート。
【請求項３】
前記支柱及び前記第１乃至第５の支持棒により支持されるバッグと、
前記本体部内に配置され、前記支柱が伸長する際に空気を送り出すエアシリンダと、
前記バッグと前記エアシリンダとを連結するエアチューブと
を備えることを特徴とする請求項１又は請求項２に記載の折り畳み式キャリアカート。
【考案の詳細な説明】
【技術分野】
【０００１】
本考案は、折り畳み可能なキャリアカートに関する。
【背景技術】
【０００２】
従来の折り畳み式キャリアカートには、上端をハンドル部、下端を接地端とした所定長で比較的細巾とした本体フレームと、前傾姿勢配置とした該本体フレーム上下間適所の背面がわに、下向きの開脚状配置に突設、一体化し、その下端には車輪を装着してなる左右一対のフレームステーと、前傾姿勢配置とした当該本体フレームの表面がわであって、先のフレームステーを突設した辺りに、展開機構を介して同本体フレーム上への添設を可能とする方向への回動ができるようにすると共に一対の橇を仮止め可能とする荷受け桟兼用仮止め桟を組み込んでなる荷台枠と、先の本体フレーム上下間適宜高さ箇所から延伸して該荷台枠遊端適所までを繋いで荷台枠の配置角度を決めるようにした荷台枠用姿勢調節機構と、当該本体フレーム接地端付近に設けた起立機構を介し、決められた配置角度の荷台枠遊端適所に嵌合可能とする支承杆と、当該荷台枠荷受け桟への仮着部を組み込んだ一対の橇とを備えるものがある。
【先行技術文献】
【特許文献】
【０００３】
【特許文献１】特開２０１４−１８９０８８号公報
【考案の概要】
【考案が解決しようとする課題】
【０００４】
しかしながら、従来の折り畳み式キャリアカートは、高齢者や女性などが日常の買い物等に使用するには、折り畳んだ状態でも大きく、カバン等に収納することができないため、容易に持ち運びすることができなかった。
【０００５】
本考案は、上記課題の解決のためになされたものであり、より小さく折り畳むことができ、容易に持ち運びすることができる折り畳み式キャリアカートを提供することを目的とする。
【課題を解決するための手段】
【０００６】
上記の課題を解決すべく、本考案に係る折り畳み式キャリアカートは、本体部と、本体部に固定された固定筒と、固定筒に対して相対的に上下動する稼働筒とを有する伸縮可能な支柱と、支柱を中心として本体部の上端部の両側に一端が夫々回転可能に連結され、支柱の長手方向に対して略平行となる第１の位置から略垂直となる第２の位置まで、一端を中心点として夫々回転動作する第１，第２の支持棒と、支柱を中心として本体部の下端部の両側に一端が夫々回転可能に連結され、支柱の長手方向に対して略平行となる第３の位置から略垂直となる第４の位置まで、一端を中心点として夫々回転動作する第３，第４の支持棒と、本体部の下端部に一端が回転可能に連結され、支柱の長手方向に対して略平行となる第５の位置から略垂直となる第６の位置まで、一端を中心点として第１，第２の支持棒の回転動作に対して垂直方向に回転動作する第５の支持棒と、を備えることを特徴とする。このため、より小さく折り畳むことができ、容易に持ち運びすることができる。
【０００７】
本考案に係る折り畳み式キャリアカートは、一端が第１，第２の支持棒に、他端が稼働筒に夫々回転可能に連結され、支柱が伸長する際に、第１，第２の支持棒を第１の位置まで移動させ、支柱が縮む際に、第１，第２の支持棒を第２の位置まで移動させる第１，第２の連結機構と、一端が第３，第４の支持棒に、他端が稼働筒に夫々回転可能に連結され、支柱が伸長する際に、第３，第４の支持棒を第３の位置まで移動させ、支柱が縮む際に、第３，第４の支持棒を第４の位置まで移動させる第３，第４の連結機構と、一端が第５の支持棒に、他端が稼働筒に夫々回転可能に連結され、支柱が伸長する際に、第５の支持棒を第５の位置まで移動させ、支柱が縮む際に、第５の支持棒を第６の位置まで移動させる第５の連結機構とを備えることを特徴とする。このため、支柱を縮めることで容易に折り畳むことができ、支柱を伸長することで容易に展開することができる。
【０００８】
本考案に係る折り畳み式キャリアカートは、支柱及び第１乃至第５の支持棒により支持されるバッグと、本体部内に配置され、支柱が伸長する際に空気を送り出すエアシリンダと、バッグとエアシリンダとを連結するエアチューブとを備えることを特徴とする。このため、折り畳み式キャリアカートを展開する際にバッグも展開することができる。
【考案の効果】
【０００９】
以上説明したように、本考案によれば、より小さく折り畳むことができ、容易に持ち運びすることができる折り畳み式キャリアカートを提供することができる。
【図面の簡単な説明】
【００１０】
【図１】実施形態に係る折り畳み式キャリアカートの展開時の正面図である。
【図２】実施形態に係る折り畳み式キャリアカートの展開時の側面図である。
【図３】実施形態に係る折り畳み式キャリアカートの折り畳み時の正面図である。
【図４】実施形態に係る折り畳み式キャリアカートの折り畳み時の側面図である。
【図５】実施形態に係る折り畳み式キャリアカートにバッグを取り付けた際の正面図である。
【図６】実施形態に係る折り畳み式キャリアカートにバッグを取り付けた際の側面図である。
【考案を実施するための形態】
【００１１】
（実施形態）
図１は、実施形態に係る折り畳み式キャリアカート１の展開時の正面図である。図２は、実施形態に係る折り畳み式キャリアカート１の展開時の側面図である。図３は、実施形態に係る折り畳み式キャリアカート１の折り畳み時の正面図である。図４は、実施形態に係る折り畳み式キャリアカート１の折り畳み時の側面図である。以下、図面を参照して本考案の実施形態を説明する。
【００１２】
本考案の実施形態に係る折り畳み式キャリアカート１は、支柱１００と、本体部２００と、第１乃至第５の支持棒３０１〜７０１と、エアシリンダ８００Ａ，８００Ｂとを備える。本体部２００は、第１乃至第５の支持棒３０１〜７０１の一端を回転可能に連結する連結部２０１〜２０５を有し、支柱１００の一部と、エアシリンダ８００Ａ，８００Ｂを収容する。なお、折り畳み式キャリアカート１の材質は、耐久性や剛性の観点から、後述するタイヤ５０５，６０５やエアシリンダ８００Ａ，８００Ｂ等を除いて金属性（例えば、ＳＵＳ）とすることが好ましい。
【００１３】
支柱１００は、本体部２００に固定された固定筒１０２と、固定筒１０２に対して相対的に上下動する稼働筒１０１とを有する伸縮可能な支柱１００とを備える。さらに、稼働筒１０１の上端部には、折り畳み式キャリアカート１を運ぶ際の把持部となるハンドル１０４と、後述するバッグを固定する際に使用するフック１０３と、エアシリンダ８００Ａ，８００Ｂを動作させるピストン１０５とが設けられている。
【００１４】
第１の支持棒３０１及び第２の支持棒４０１の一端は、夫々支柱１００を中心として本体部２００の上端部の両側に設けられた連結部２０１，２０２によりに回転可能に連結されている。図１には、第１の支持棒３０１及び第２の支持棒４０１が支柱１００の長手方向に対して略垂直となる展開位置（第２の位置）を図示している。また、図３には、第１の支持棒３０１及び第２の支持棒４０１が支柱１００の長手方向に対して略平行となる折り畳み位置（第１の位置）を図示している。また、第１，第２の支持棒３０１，４０１の端部付近には、後述するバッグを固定する際に使用するフック３０２，４０２が夫々設けられている。
【００１５】
また、折り畳み式キャリアカート１は、一端が連結部３０３，４０３により第１，第２の支持棒３０１，４０１に回転可能に連結され、他端が連結部１０３，１０４により稼働筒１０１に回転可能に連結された第１，第２の連結機構３０４，４０４を備える。ここで、連結部３０３，４０３は、夫々第１，第２の支持棒３０１，４０１に沿って自由にスライドが可能となっている。この第１，第２の連結機構３０４，４０４により、第１，第２の支持棒３０１，４０１は、支柱１００が伸長する際に展開位置（第２の位置：支柱１００の長手方向に対して略垂直となる位置）まで稼働し、支柱１００が縮む際に折り畳み位置（第１の位置：支柱１００の長手方向に対して略平行となる位置）まで稼働する。
【００１６】
第３の支持棒５０１及び第４の支持棒６０１の一端は、夫々支柱１００を中心として本体部２００の下端部の両側に設けられた連結部２０３，２０４により回転可能に連結されている。図１には、第３の支持棒５０１及び第４の支持棒６０１が支柱１００の長手方向に対して略垂直となる展開位置（第４の位置）を図示している。また、図３には、第３の支持棒５０１及び第４の支持棒６０２が支柱１００の長手方向に対して略平行となる折り畳み位置（第３の位置）を図示している。また、第３，第５の支持棒５０１，６０１の端部付近には、後述するバッグを固定する際に使用するフック５０２，６０２が夫々設けられている。さらに、第３，第５の支持棒５０１，６０１の端部には、夫々タイヤ５０５，６０５が設けられている。
【００１７】
また、折り畳み式キャリアカート１は、一端が連結部５０３，６０３により第３，第４の支持棒５０１，６０１に回転可能に連結され、他端が連結部１０５，１０６により稼働筒１０１に回転可能に連結された第３，第４の連結機構５０４，６０４を備える。ここで、連結部５０３，６０３は、夫々第３，第４の支持棒５０１，６０１に沿って自由にスライドが可能となっている。第３，第４の連結機構５０４，６０４は、略中央に縦長の孔５０４Ａ，６０４Ａが形成されており、該孔５０４Ａ，６０４Ａ内に本体部２００に固定された固定ピンＰが挿入されている。
【００１８】
このため、第３，第４の連結機構５０４，６０４により、第３，第４の支持棒５０１，６０１は、支柱１００が伸長する際に展開位置（第４の位置：支柱１００の長手方向に対して略平行となる位置）まで稼働し、支柱１００が縮む際に折り畳み位置（第３の位置：支柱１００の長手方向に対して略垂直となる位置）まで稼働する。
【００１９】
第５の支持棒７０１の一端は、支柱１００を中心として本体部２００の下端部に設けられた連結部２０５により回転可能に連結されている。図２には、第５の支持棒７０１が支柱１００の長手方向に対して略垂直となる展開位置（第６の位置）を図示している。また、図４には、第５の支持棒７０１が支柱１００の長手方向に対して略平行となる折り畳み位置（第５の位置）を図示している。また、第５の支持棒７０１の端部付近には、後述するバッグを固定する際に使用するフック７０２が設けられている。
【００２０】
また、折り畳み式キャリアカート１は、一端が連結部７０３により第５の支持棒７０１に回転可能に連結され、他端が連結部１０７により稼働筒１０１に回転可能に連結された第５の連結機構７０４を備える。ここで、連結部７０３は、第５の支持棒７０１に沿って自由にスライドが可能となっている。第５の連結機構７０４は、略中央に縦長の孔７０４Ａが形成されており、該孔７０４Ａ内に本体部２００に固定された固定ピンＰが挿入されている。
【００２１】
このため、第５の連結機構７０４により、第５の支持棒７０１は、支柱１００が伸長する際に展開位置（第６の位置：支柱１００の長手方向に対して略平行となる位置）まで稼働し、支柱１００が縮む際に折り畳み位置（第５の位置：支柱１００の長手方向に対して略垂直となる位置）まで稼働する。
【００２２】
上述したように、本体部２００には、エアシリンダ８００Ａ，８００Ｂが収容されている。支柱１００の稼働筒１０１には、エアシリンダ８００Ａ，８００Ｂを動作させるためのピストン１０５が設けられている。このため、支柱１００を伸長する際に、ピストン１０５によりエアシリンダ８００Ａ，８００Ｂが動作し、エアシリンダ８００Ａ，８００Ｂに連結されたチューブＴから空気が空気（エア）が導出される。
【００２３】
図５は、実施形態に係る折り畳み式キャリアカート１にバッグ９００を取り付けた際の正面図である。図６は、実施形態に係る折り畳み式キャリアカート１にバッグ９００を取り付けた際の側面図である。以下、本実施形態に係る折り畳み式キャリアカート１にバッグ９００を取り付けた際の動作について説明する。
【００２４】
図５に示すように、バッグ９００は、荷物を収容するための本体９０１と、カバー９０２と、本体９０１を折り畳み式キャリアカート１に固定するための紐９０３とを備える。バッグ９００を折り畳み式キャリアカート１に固定する際は、紐９０３をフック１０３，３０２，４０２，５０２，６０２，７０２に結び付けて固定する。バッグ９００の材質としては、傘等に使用されている防水シートが好ましい。なお、防水シートの厚みは、耐久性の観点から１ｍｍ程度あることが好ましい。
【００２５】
また、バッグ９００の本体９０１内には、空気を導入するためのチューブ９０４が設けられている。支柱１００を伸長する際にエアシリンダ８００Ａ，８００Ｂから導出される空気は、チューブＴを通って本体９０１内に設けられたチューブ９０４に送り込まれバッグを展開（自立）させる。
【００２６】
以上のように、本考案に係る折り畳み式キャリアカートは、本体部と、本体部に固定された固定筒と、固定筒に対して相対的に上下動する稼働筒とを有する伸縮可能な支柱と、支柱を中心として本体部の上端部の両側に一端が夫々回転可能に連結され、支柱の長手方向に対して略平行となる第１の位置から略垂直となる第２の位置まで、一端を中心点として夫々回転動作する第１，第２の支持棒と、支柱を中心として本体部の下端部の両側に一端が夫々回転可能に連結され、支柱の長手方向に対して略平行となる第３の位置から略垂直となる第４の位置まで、一端を中心点として夫々回転動作する第３，第４の支持棒と、本体部の下端部に一端が回転可能に連結され、支柱の長手方向に対して略平行となる第５の位置から略垂直となる第６の位置まで、一端を中心点として第１，第２の支持棒の回転動作に対して垂直方向に回転動作する第５の支持棒と、を備えることを特徴とする。このため、より小さく折り畳むことができ、容易に持ち運びすることができる。
【００２７】
また、本考案に係る折り畳み式キャリアカート１は、一端が第１，第２の支持棒に、他端が稼働筒に夫々回転可能に連結され、支柱が伸長する際に、第１，第２の支持棒を第１の位置まで移動させ、支柱が縮む際に、第１，第２の支持棒を第２の位置まで移動させる第１，第２の連結機構と、一端が第３，第４の支持棒に、他端が稼働筒に夫々回転可能に連結され、支柱が伸長する際に、第３，第４の支持棒を第３の位置まで移動させ、支柱が縮む際に、第３，第４の支持棒を第４の位置まで移動させる第３，第４の連結機構と、一端が第５の支持棒に、他端が稼働筒に夫々回転可能に連結され、支柱が伸長する際に、第５の支持棒を第５の位置まで移動させ、支柱が縮む際に、第５の支持棒を第６の位置まで移動させる第５の連結機構とを備えることを特徴とする。このため、支柱を縮めることで容易に折り畳むことができ、支柱を伸長することで容易に展開することができる。
【００２８】
さらに、本考案に係る折り畳み式キャリアカートは、支柱及び第１乃至第５の支持棒により支持されるバッグと、本体部内に配置され、支柱が伸長する際に空気を送り出すエアシリンダと、バッグとエアシリンダとを連結するエアチューブとを備えることを特徴とする。このため、折り畳み式キャリアカートを展開する際にバッグも展開することができる。
【００２９】
なお、上記説明では、本考案の一実施形態である折り畳み式キャリアカート１を例に本考案を説明したが、本考案は、上記の実施形態に限定されるものではなく、本考案の目的を達成できる範囲での変形、改良等は本考案に含まれるものである。
【００３０】
以上で説明したように、本考案の折り畳み式キャリアカートは、より小さく折り畳むことができ、容易に持ち運びすることができる。このため、高齢者の外出、例えば、買い物等のおいて利便性が高い。
【符号の説明】
【００３１】
１  折り畳み式キャリアカート
１００  支柱
２００  本体部
３００  第１の支持棒
４００  第２の支持棒
５００  第３の支持棒
６００  第４の支持棒
７００  第５の支持棒
８００Ａ，８００Ｂ  エアシリンダ
９００  バッグ
【図１】
0003196545.tif 000003
【図２】
0003196545.tif 000004
【図３】
0003196545.tif 000005
【図４】
0003196545.tif 000006
【図５】
0003196545.tif 000007
【図６】
0003196545.tif 000008